(57)【要約】      （修正有）【課題】十分な可撓性及び抵抗を有する歯科用リーマ／やすりを提供する。【解決手段】歯根管をクリーニング／シェーピングするための歯科用リーマ／やすりは、基端部分１２と、末端１４と、長手軸線１８を備えた先細りの作業部分とを具備する細長いシャンク1０を有する。作業部分の外表面は、凹状のフルート表面を提供する複数の少なくとも２つの等間隔で離間する連続的な螺旋状フルート２０により画定される。フルート表面は、同数の螺旋状で離間したフランジ２４をその間に有し、各フランジは、長手軸線に垂直な面において、対抗する第１及び第２の端部を備えた単一の外端表面２６を有する。各第１の端部は能動的な螺旋状の掻き取り／切削前縁を形成し、各第２の端部は受動的な螺旋状の縁を形成する。【選択図】図１
2007044522.tif 000002
【特許請求の範囲】
【請求項１】
歯根管をクリーニング／シェーピングするための歯科用リーマ／やすりであって、
基端部分、末端、及び基端部分から末端へ延びる長手軸線を備えた先細りの作業部分を有する細長いシャンクを含み；
シャンクの作業部分の外表面が、凹状のフルート表面を提供するシャンク作業部分の中央のコア部分内に形成された複数の少なくとも２つの等間隔で離間した連続的な凹状の螺旋状フルートにより部分的に画定され、フルート表面が同数の螺旋状の離間したフランジをその間に有し、各フランジが、長手軸線に垂直な面内で、単一の外端表面を有し、外端表面がシャンク作業表面の長さを延びる連続的な螺旋状の掻き取り／切削縁を形成することを特徴とする歯科用リーマ／やすり。
【請求項２】
各フランジの外端表面が直線状であり、対向する掻き取り／切削縁を有することを特徴とする請求項１の歯科用リーマ／やすり。
【請求項３】
フランジの外端表面が実質上直線状であり、掻き取り／切削縁が実質上正のレーキ角を有するような角度で長手軸線の面と交差することを特徴とする請求項１の歯科用リーマ／やすり。
【請求項４】
フランジの外端表面の鋭角が細長いシャンクの先細りの作業部分の長さに沿った異なる位置で変化することを特徴とする請求項３の歯科用リーマ／やすり。
【請求項５】
細長いシャンクの先細りの作業部分の長さに沿った少なくとも１つの位置で、フランジの外端表面が直線状であり、能動的及び受動的な切削縁を提供するように長手軸線の面に関して角度をなしていることを特徴とする請求項３の歯科用リーマ／やすり。
【請求項６】
連続的な凹状で螺旋状のフルートを画定する各凹状のフルート表面が選択された曲率半径を備えた半円であることを特徴とする請求項１の歯科用リーマ／やすり。
【請求項７】
曲率半径がシャンクの先細りの作業部分の横断面を決定するように選択されることを特徴とする請求項６の歯科用リーマ／やすり。
【請求項８】
凹状のフルート表面の曲率半径が細長いシャンクの先細りの作業部分の長さに沿った異なる位置で変化することを特徴とする請求項６の歯科用リーマ／やすり。
【請求項９】
フランジの外端表面が実質上直線状であり、掻き取り／切削縁が正のレーキ角を有するような角度で長手軸線の面と交差し、フランジの外端表面の鋭角が細長いシャンクの先細りの作業部分の長さに沿った異なる位置で変化することを特徴とする請求項８の歯科用リーマ／やすり。
【請求項１０】
フランジの外端表面の鋭角が細長いシャンクの先細りの作業部分の長さに沿った異なる位置での半円形の凹状のフルート表面の曲率半径に反比例して変化することを特徴とする請求項９の歯科用リーマ／やすり。
【請求項１１】
歯根管をクリーニング／シェーピングするための歯科用リーマ／やすりであって、
基端部分、末端、及び基端部分から末端へ延びる長手軸線を備えた先細りの作業部分を有する細長いシャンクを含み；
シャンクの作業部分の外表面が、凹状のフルート表面を提供するシャンク作業部分の中央のコア部分内に形成された複数の少なくとも２つの等間隔で離間した連続的な凹状の螺旋状フルートにより部分的に画定され、フルート表面が同数の螺旋状の離間したフランジをその間に有し、各フランジが、長手軸線に垂直な面内で、対向する第１及び第２の端部を備えた単一の実質上直線状の外端表面を有し、外端表面が、実質上正のレーキ角を有する掻き取り／切削縁を形成するような角度で長手軸線の面と交差し、フランジの外端表面の鋭角が細長いシャンクの先細りの作業部分の長さに沿った異なる位置で変化することを特徴とする歯科用リーマ／やすり。
【請求項１２】
連続的な凹状の螺旋状フルートを画定する各凹状のフルート表面が選択された曲率半径を備えた半円であることを特徴とする請求項１１の歯科用リーマ／やすり。
【請求項１３】
曲率半径がシャンクの先細りの作業部分の横断面を決定するように選択されることを特徴とする請求項１２の歯科用リーマ／やすり。
【請求項１４】
凹状のフルート表面の曲率半径が細長いシャンクの先細りの作業部分の長さに沿った異なる位置で変化することを特徴とする請求項１３の歯科用リーマ／やすり。
【請求項１５】
歯根管の壁をクリーニング／シェーピングするための歯科用リーマ／やすりであって、
基端部分、末端、及び基端部分から末端へ延びる長手軸線を備えた先細りの作業部分を有する細長いシャンクを含み；
シャンクの作業部分の外表面が、凹状のフルート表面を提供するシャンク作業部分の中央のコア部分内に形成された複数の少なくとも２つの等間隔で離間した連続的な凹状の螺旋状フルートにより部分的に画定され、フルート表面が同数の螺旋状の離間したフランジをその間に有し、各フランジが、長手軸線に垂直な面内で、歯根管の壁を切削及び／又は掻き取る連続的な螺旋状の切削／掻き取り縁を形成する外端表面を有し、切削／掻き取り縁の能動的及び受動的な部分が細長いシャンクの作業部分の長さに沿って選択的に位置決めされることを特徴とする歯科用リーマ／やすり。
【請求項１６】
連続的な凹状の螺旋状フルートを画定する各凹状のフルート表面が選択された曲率半径を備えた半円であることを特徴とする請求項１５の歯科用リーマ／やすり。
【請求項１７】
曲率半径がシャンクの先細りの作業部分の横断面を決定するように選択されることを特徴とする請求項１６の歯科用リーマ／やすり。
【請求項１８】
凹状のフルート表面の曲率半径が細長いシャンクの先細りの作業部分の長さに沿った異なる位置で変化することを特徴とする請求項１７の歯科用リーマ／やすり。
【発明の詳細な説明】
【技術分野】
【０００１】
本発明は、歯科用器具として使用するのに特に適した可撓性の工具、特に露出した歯根から歯髄物質を除去する際に医者により使用され、ガッタパーチャ（gutta-percha）のようなフィラー材料を受け入れるように歯根を形づくるための歯科用やすり（endodontic file）に関する。
【背景技術】
【０００２】
近年の歯科学における最も顕著な進歩の１つは膿瘍した歯の改善された処置である。従来、膿瘍した場合、強烈な痛みを緩和するための単なる治療として歯を引き抜いていた。普通、「膿瘍した（abscessed）」という用語は、歯の根管が冒され、それにより、歯及びこれに関連する神経終末に圧力を作用させ、時として殆ど耐えられない痛みを招くことを意味する。歯内治療学の出現により、膿瘍した歯を抽出する荒療治が回避された。
【０００３】
膿瘍した歯の歯科的処置における第１の工程は歯根へ接近できるように歯冠に開口をドリル加工することである。根管が露出した後、医者は根管の髄質物質を完全に取り除かなければならない。その理由は、髄質物質を完全にしかも注意深く取り除かなかった場合、根管がまた冒される原因となることがある。髄質物質を除去する必要があるのみならず、通常、フィラー材料で根管を満たすことができるような方法で根管をシェーピング（shaping；形状付け）しなければならない。
【０００４】
現在他の形式のフィラー材料も提供されているが、最も普通のフィラーは「ガッタパーチャ」と呼ばれるペースト状の材料である。管が適正にクリーニング及びシェーピングされない場合は、ガッタパーチャで充填する工程は有機物質の根管内への侵入を招く空洞領域を残すことがあり、後にバクテリアの作用が生じることがある。これらの理由のため、冒された歯の歯科的な処置を首尾よく達成させるための医者の努力の大半は根管のクリーニング及びシェーピングである。これらの工程は、医者により露出した歯冠領域を通して根管内へ挿入される小径の先細りやすりを利用して達成される。管は冠領域から根の頂点へ進むようにクリーニングしなければならない。
【０００５】
根管は典型的には先細りの形状であり、すなわち、管の横断面積は普通歯冠の近傍で一層大きく、歯の頂点即ち根管の末端で最小になる。根管は天然に先細りしているが、対称的な先細りではなく、管はフィラー材料の通過と抵触する中間部分を頂点と冠領域との間に含むことがある。それ故、根管は不必要な侵入箇所を排除し、医者が首尾よく根管を満たすことのできる機会を改善するようにシェーピングしなければならない。
【０００６】
やすりは普通、医者が手動でやすりを回転させる小さな円筒状のプラスチックハンドル部分又はやすりを機械的に回転させる歯科用ハンドピースのチャック内に収容できるシャンク部分を具備する。回転に加えて、医者は根管に対して出入りするようにやすりを操作する。「操作」という用語は管内へのやすりの挿入、侵入箇所をやすりがけし、同時に髄質物質を除去するようなやすりの往復運動を意味する。典型的には、医者は抵抗地点へやすりを挿入し、次いで管の壁に螺旋状の掻き取り縁を係合させるようにやすりを回転させ往復運動させる。次いで、壁から掻き取った髄質物質を除去するようにやすりを引き戻す。この手順は管の全長をクリーニングするのに必要なだけ繰り返す。クリーニング工程においては、医者は普通小径のやすりから始め、次に、管のクリーニングが進むにつれて、根管が頂点までシェーピングされ、クリーニングされるまで、徐々に大径のやすりを使用する。従って、歯科用やすりは普通小径から大径へ変化する標準の先細りのセットとなっている。上述のように、歯科用やすりを手動で回転させる代わりに、医者はやすりを機械的に回転させるハンドピースのチャック内にやすりの基端を挿入することができる。
【０００７】
根管は特徴的には直線状ではない。ある根管はほかのものよりも湾曲しているが、いくつかの根管は冠部から頂点まで完全に直線状となっている。それ故、歯冠から歯の頂点までクリーニング及びシェーピングする際に根管の天然の湾曲を追従できるようにやすりを可撓性にすることが重要である。やすりが剛直過ぎると、やすりが歯根の側壁を通って突出することがあり、これが歯内への汚染の道筋を生じさせることがある。更に、やすりが剛直だと、管の全領域を首尾よくクリーニングできない。その理由は、剛直さが管の湾曲の片側へやすりを激しく偏向させ、やすりの作用に対して露呈されない湾曲を画定する壁の部分を残してしまう。それ故、高度の可撓性が歯科用やすりの所望の特徴である。
【０００８】
更に、やすりの強度は極めて重要である。歯内でのやすりの往復運動及び回転の工程においては、やすりが破断して、破断した部分が歯内に残る可能性がある。これは医者にとって重大な問題を生じさせる。従って、高度に可撓性で、根管内でやすりを操作する際に捩り又は引っ張り作用の結果としての分離に強力に抵抗する歯科用やすりを歯科専門職が利用できるようにする長年の望みがあった。本発明は捩り又は伸びによる分離に対する抵抗を同時に増大させながら、歯科用やすりの可撓性を実質上増大させる方法を提供する。歴史的には、すべての歯科用やすりは（米国特許第４，９３４，９３４号明細書に示されるような）半径方向のランド器具が歯科学分野に導入されるまで角度をなした切断表面を有していた。
【特許文献１】米国特許第４，９３４，９３４号明細書
【０００９】
半径方向のランド部の使用は歯構造の能動的で積極的な切削を阻止する。その理由は、半径方向のランド部が器具の円周を囲み、根管組織内への積極的な移動を阻止するからである。切削を行うために医者がある程度の先端圧力を加えねばならないので、この形式の器具は受動的な切削又は掻き取り器具として正確に述べることができる。半径方向のランド部を持たないすべての他の器具は能動的な切削器具として分類できる。半径方向のランド部を持たない鋭利な切削縁の特性は、医者が圧力を加えることなく、管内へ器具を引き込むことである。一層重要なことは、回転するときに、半径方向のランド部を組み込んだ器具は湾曲した管を処置する際に管をその元の位置から移動させない；一方、連続的な回転及び湾曲した管のまわりでの切削を行う能動的な切削器具は管を移動させ、管を直線化する傾向を有する。
【００１０】
能動的な切削刃は、管を一層速く拡大するという点で、一層有効である。逆に、受動的な切削刃は有効性の乏しく、根管組織を拡大させるのに一層多くの時間を必要とする。更に、大半の歯科用やすりは両回転方向ではなく一方の回転方向でのみ機能する。一方向やすりは効率を減少させる。
【従来技術の説明】
【００１１】
本発明の要旨特に歯科用リーマ／やすりに関する背景情報として、以下の発行された米国特許明細書を参照する。
特許番号                名称
４，４４３，１９３      歯科用器具
４，５３６，１５９      歯科用器具
４，９３４，９３４      歯科用やすり／リーマ器具
５，３８０，２００      所定の可撓性の歯科用器具
５，４６４，３６２      歯科用器具
５，６５８，１４５      歯根管を穿孔する器具のセット及びその方法
５，６９２，９０２      歯根管を穿孔する器具のセット
５，８７３，７１９      歯科用リーマ
５，８７９，３１６      歯科用処置装置
５，９２１，７７５      歯科用処置装置
５，９７５，８９９      歯科用リーマ
６，０１２，９２１      ３組のデリケートな器具による根管の解剖学的な断面及び漸進                        的な烏口先端の準備のための歯科用装置
６，０７４，２０９      減少したトルクの歯科用やすり
６，２１７，３３５      最小先端侵入での根管の解剖学的な断面及び漸進的な烏口先端                        の準備のための歯科用装置及び方法
６，２６７，５９２      歯科応用のための高可撓性の器具
６，３１２，２６１      着脱自在なキャリヤを備えた歯科用閉塞具
６，３１５，５５８      超弾性歯科用の製造方法及びそれで作ったやすり
６，３９０，８１９      デリケートなステンレス鋼製の器具及びデリケートなニッケル                        ／チタン器具による根管の解剖学的な断面及び漸進的な烏口先                        端の準備のための歯科用装置及び方法
６，４１９，４８８      チゼル先端を有する歯科用器具
６，５１４，０７６      沈降硬化可能なステンレス鋼製の歯科用器具及び器具の製造及                        び使用方法
６，５２０，７７４      医療応用のための高可撓性の器具
６，６４４，９７２      着脱自在なキャリヤを備えた歯科用閉塞具及びその使用方法
６，７４６，２４５      解剖学的様式での非対称根管をクリーニング及びシェーピング                        する方法
２００４／０１２１２８３        精密鋳造歯科用器具
２００３／００７７５５３        ノッチ付き切削表面を有する歯科用器具
２００４／００５８２９７        根管器具
２００４／００４３３５７        歯科用器具
２００４／００２３１８６        多重先細りの歯科用やすり
再３４，４３９                  歯科用コンパクタ器具
【発明の開示】
【発明が解決しようとする課題】
【００１２】
ここでの本発明は、歯科用処置を遂行する、即ち、特にガッタパーチャのようなフィラー材料を受け入れるために歯を準備するように歯の根管をクリーニング及びシェーピングする際に使用する歯科用リーマ（reamer;拡孔器）／やすりである。
【課題を解決するための手段】
【００１３】
本発明は特に手動で操作できるか又は歯科医により普通に使用されるハンドピースのような機械により操作できるやすりである。やすりは基端と、末端と、基端部分から末端へ延びる先細りの作業部分とを備えた細長いシャンクを有する。シャンクはまたやすりを手動で操作するための典型的にはプラスチックで作った大径のハンドル部分又は医者によりやすりを機械的に回転させ、操作できる歯科用ハンドピース内に受け入れられるように形状づけられた普通やすりと一体化した小径の金属製チャックステムのいずれかを有する。
【００１４】
シャンクの作業部分の外表面は中央のコア部分内へ延びる複数の少なくとも２つの離間した連続的な凹状の螺旋状フルート（flute；縦溝）により画定される。螺旋状フルートの間には、同数の離間した螺旋状のフランジ部分が位置する。各フランジ部分はやすりの長手軸線に垂直な面において、凹状のフルート表面との交差部において対向する第１及び第２の端部を備えた単一の外表面を有する。第１の端部の交差部はシャンクの作業部分の長さを延びる連続的な螺旋状の前縁を形成する。
【００１５】
１つの実施の形態においては、各フランジの外端表面はシャンクの作業部分の回転軸線から引き出した半径に垂直である。この実施の形態においては、各々正のレーキ角を有する双方向の掻き取り縁が達成される。本発明の好ましい実施の形態においては、フランジの外端表面は細長いシャンクの先細りの作業部分の長さに沿った異なる位置で変化する。他の実施の形態においては、各フランジの外端はシャンクの作業部分の回転軸線から引き出した半径とある角度で交差する直線状となっている。これらの実施の形態は各フランジの外端の一端における正のレーキ角及び他端における負のレーキ角を有する歯科用やすりを生じさせる。
【００１６】
本発明の他の実施の形態においては、凹状のフルート表面の曲率半径は細長いシャンクの先細りの作業部分の長さに沿った異なる位置で変化する。凹状のフルート表面の曲率半径が比較的短い場合、これは、フルートが比較的深い深さのものであることを意味する。この形状は、シャンクの横断面積が比較的小さく、やすりの可撓性を増大させるが、同時に、捩り抵抗を減少させることを意味する。フルート領域の凹状の深さを変更することにより、全体の横断面積を変えることができ、それによって、やすりの長さに沿った可変の可撓性を提供する。更に、シャンクの外表面は可変のレーキ角（rake angle；すくい角）を提供するように変化することができる。本発明の概念を使用すると、レーキ角及びフルート深さは、やすりの長さに沿って、互いに関して変化することができ、それによって、可撓性が重要である場合の最大の可撓性及びこの態様のやすりが重要である場合の最大のトルク抵抗を達成するように、最適に設計されたやすりを提供する。本発明の一層完全な理解は添付図面に関連して行う好ましい実施の形態の以下の説明から得られよう。
【発明を実施するための最良の形態】
【００１７】
ここで説明する本発明は、その応用において、添付図面に示した部品の構成及び配列の詳細に限定されないことを理解すべきである。本発明は他の実施の形態として具体化することができ、種々の方法で実践又は実行できる。ここで使用する語法及び用語は説明を目的とするものであって、限定を目的とするものではない。
【００１８】
図に示す素子は以下の符号で特定する。
１０  チャックステム                    ２２  フルート表面
１２  基端                              ２４  フランジ
１４  末端                              ２６  フランジ端表面
１６  シャフトの作業部分                ２６Ａ  湾曲端表面
１８  長手回転軸線                      ２８  掻き取り／切削縁
２０  フルート。
【００１９】
図面、まず図１を参照すると、立面図は典型的な歯科用やすりを示す。やすりはやすりの基端１２に位置するチャックステム１０を有する。末端１４は基端１２に比べて実質上減少した直径を有する。基端１２と末端１４との間には、符号１６で全体を示す細長いシャンク作業表面がある。
【００２０】
チャックステム１０は典型的には金属製のやすりと一体的に形成され、やすりを回転させる歯科用ハンドピースのチャック（図示せず）内に受け入れられるように形状づけられ、ハンドピースにより、操作者は根管に対して出入りするようにやすりを操作することができる。チャックステム１０は歯科医による手動操作のために形状づけられた小さなプラスチック製のハンドル部分と交換することができる。チャックステムが使用されるか又はハンドル部分が使用されるかは、ここでの本発明には関連なく、チャックステム１０の特定の形状は本発明の要旨ではない。代わりに、本発明の重要な態様はやすりのシャンクの作業部分１６の外表面の形状である。この形状は図２、図３、図４の断面図に示す。
【００２１】
図２は図１の２−２線における断面図である。この断面図の面はチャックステム１０の長手軸線でもあるやすりの作業部分１６の長手軸線１８に垂直である。この長手軸線はまた、歯根管内で位置決めされるときにそのまわりで作業部分１６を回転させる軸線であるので、回転軸線とも呼ぶ。回転軸線１８は各断面図に示す。シャンクの作業部分１６の外表面には、複数の少なくとも２つの螺旋状フルート２０が形成される。図示の構成においては、３つの離間した螺旋状フルート２０が存在する。これらの螺旋状フルートはやすりの作業部分１６の外表面に形成される。各螺旋状フルートはフルート表面２２を有する。
【００２２】
３つの螺旋状フルート２０を示すが、やすりはたった２つのフルートを具備した状態で製造でき、または、４つ以上のフルートを具備した状態で製造できる。しかし、実践的な考察としては、やすりは典型的には２つ又は３つのフルートを具備した状態で作られ、３つのフルートが理想的である。４つのフルートを使用できるが、付加的なフルートは、工具の性能を大幅に増やすことなく、製造の複雑さを増大させるだけである。従って、すべての実践的な目的に対して、本発明の原理を組み込んだ理想的なやすりの構成は３つのフルート２０を使用する。これらのフルートは３つの螺旋状のフランジ２４を提供する。
【００２３】
各螺旋状フランジ２４は、その外端において、端表面２６を有する。断面図において、各端表面２６は対向するフルート表面に接触する。図２の実施の形態においては、連続的な螺旋状の掻き取り／切削縁２８が各端表面２６の外端に、即ち各端表面２６が対向するフルート表面２２に接触する箇所に形成される。図２において、各端表面２６の端部２８は螺旋状の掻き取り／切削縁を形成する。
【００２４】
図２の実施の形態においては、螺旋状の掻き取り／切削縁２８の一方の半分は工具が右回りに回転する際に前縁となり、他方の半分は工具が左回りに回転する際に前縁となる。図２においては、すべての前縁は同等に有効であり、そのため、この実施の形態においては、工具は右回りに回転しても左回りに回転しても実質上同じに機能する。しかし、実際の実践においては、右回り回転と左回り回転との間で工具の作用に差異がある。螺旋状フルート及び螺旋状フランジでは、工具が右回りに回転するとき、やすりを根管内へ螺入させる傾向があり、一方、左回りに回転するときは、やすりを根管内から螺出させる傾向がある。歯医者は根管を有効にクリーニング及びシェーピングするためにこれらの特徴を利用する。
【００２５】
図２Ａは角度をなす切削表面を使用しないやすりの断面構造を示すが、代わりに、半径方向のランド部２６Ａが各フランジ部分の外端に設けられる。これらの半径方向のランド部２６Ａは、やすりのこの部分が根管の壁内へ移動するのを阻止する。特に、半径方向のランド部２６Ａはやすりの長さのこの部分に受動的な表面を提供する。
【００２６】
図３は本発明の代わりの実施の形態を示し、この場合、各螺旋状フランジ２４の外端２６は各螺旋状フランジを通って中間から引き出された半径に対して角度をなす。図２は、端表面２６が軸線１８を通って引き出された半径に関して９０°の角度をなす断面構成を示すが、図３においては、端表面２６は軸線に関して約８０°の角度をなす。図４は、各端表面２６が軸線１８及び各螺旋状フランジ２４を通して引き出された半径に関して７３°の角度をなす点を除いて、図３と同様である。
【００２７】
図２では、各端表面２６の各端部に螺旋状の掻き取り／切削縁２８が存在するが、図３、４の実施の形態では、やすりの半径に関する各端表面２６の角度のため、単一の能動的な掻き取り／切削縁２８及び対応する受動的な掻き取り／切削縁のみが存在する。即ち、図３に関する例に対しては、工具が右回りに回転したとき、各前方の掻き取り／切削縁２８は管をクリーニング及びシェーピングするように管の部分の切削及び掻き取りを行うために根管の表面に係合し、一方、後縁は根管とは接触せず、それ故掻き取り／切削作用は行わない。すなわち、図３は能動的及び受動的な切削／掻き取り縁２８を有するやすりデザインである。図３のやすりが左回りに回転したとき、掻き取り／切削縁２８は根管に接触するが、負の切削角度で接触し、そのため、縁２８は切削する傾向を有さず、掻き取り作用を遂行するように実質上機能する。図４の構成についても同じことが言える。
【００２８】
図２、図３、図４の各横断面構成では、互いに比べて２つの基本的な差異がある。説明した第１の差異は、各螺旋状のフランジ部分２４を通って中間に延びる半径に関する各螺旋状の端鏡面２６の角度である。第２の差異は、各フルート表面２２の曲率半径である。例えば、図２では、各フルート表面２２の曲率は比較的短い半径Ｒ１により形成される。図３では、フルート表面２２は一層長い半径Ｒ２により画定される。図４は更に一層長い半径Ｒ３を使用する。フルート表面２２の曲率半径の変化は掻き取り／切削縁２８に影響を与える。端表面２６の角度の変化もまた掻き取り／切削縁２８に影響を与える。
【００２９】
図２、図３、図４の３つのいずれの横断面の実施の形態においては、掻き取り／切削縁２８はすべて僅かに正の切削角度を有する。しかし、切削縁の鋭利さはこれら３つの図の各々においてほぼ同じである。切削縁の角度の選択は２つの方法で調整できる、すなわち、端表面２６の角度を調整することにより及びフルート２０の深さを調整することにより調整できる。
【００３０】
フルート２０の深さが変化すると、やすりの横断面積が変化し、従って任意の選択された横断面地点での捩り強度が変化する。従って、本発明の原理を組み込んだ歯科用やすりのデザイナーは能動的及び受動的な掻き取り／切削縁、選択された切削角度作用、可撓性及びトルク抵抗を有するやすりを達成するために螺旋状フルートの深さ及び螺旋状端表面の角度を変えることができる。
【００３１】
ある程度の特定性を伴って本発明を説明したが、この開示の精神及び範囲から逸脱することなく、素子の構成及び配列の詳細において多くの変更を行うことができること明白である。本発明は例示の目的のためにここで説明した実施の形態に限定されず、特許請求の範囲によってのみ限定されることを理解されたい。
【図面の簡単な説明】
【００３２】
【図１】本発明の原理を組み込むために使用できる形式の歯科用やすりの立面図である。図１におけるやすりは、やすりを機械的に回転させるハンドピースのチャック内に受け入れることのできる基端においてチャックステムを有する形式のものである。ハンドピースはまた機械的に回転する際にやすりを根管に対して出入りさせるように操作するために医者により使用される。
【図２】図２は図1の２−２線における断面図である。この断面図においては、やすりは各々半円形の断面輪郭を備えた３つの離間した螺旋状フルートと、フルート間を延びる３つの一体のフランジ部分とを有する。各フランジ部分の外端表面は回転軸線から引き出した半径と９０°の角度で交差する直線状の縁となっている。
【図２Ａ】図２Ａは図２と同様の断面図であるが、違いは、各フランジ部分の外端表面が図２のように直線状ではなく、やすりの円周を囲む弓形即ち湾曲となっていることである。この表面は、やすりのこの部分が根管の壁内へ移動するのを阻止し、即ち、やすりの長さのこの部分において受動的な表面を提供する。
【図３】図１の３−３線における断面図で、やすりの横断面形状の代わりの実施の形態を示す図である。この構成においては、３つのフランジ部分の各々の外端表面はやすりの回転軸線から引き出した半径に関して８０°の角度をなす直線である。
【図４】図３と同様の断面図であるが、２つの点で異なる。第１に、図３では、各フルートの凹状の表面の曲率半径はＲ２により示される中間直径であり、図４では、各フルートの曲率半径はＲ３で示すように一層大きい。フルートの凹状の表面は図４において一層大きな曲率半径となっており、これは、やすりの総合横断面積が増大することを意味しており、これは、可撓性が減少するが、同時に捩り抵抗が増大することを意味する。図３に比べた図４の別の違いは、各フランジ部分の平坦な端表面が回転軸線を通って引き出されたやすりの半径と７３°の角度で交差することである。
【符号の説明】
【００３３】
１０  チャックステム（シャンク）
１２  基端
１４  末端
１６  作業部分
１８  長手軸線
２０  フルート
２２  フルート表面
２４  フランジ
２６  端表面
２８  掻き取り／切削縁
【図１】
2007044522.tif 000003
【図２】
2007044522.tif 000004
【図２Ａ】
2007044522.tif 000005
【図３】
2007044522.tif 000006
【図４】
2007044522.tif 000007